(57)【要約】【課題】状況に応じて操作が可能なユーザインタフェースを提供することにより携帯端末装置の使用を制限することなく継続使用を可能にする。【解決手段】携帯端末装置１は、入力部（タツチセンサ１２）による第１の操作モードと、第１の操作モードよりも入力操作が容易な第２の操作モードとを有し、特定のイベントを検出すると、第１の操作モードから第２の操作モードに切替える制御部（ＣＰＵ１００）、を有する。【選択図】図２
2014045451.tif 000002
【特許請求の範囲】
【請求項１】
少なくとも入力部を備えたバッテリ駆動の携帯端末装置であって、
前記入力部による第１の操作モードと、前記第１の操作モードよりも入力操作が容易な第２の操作モードとを有し、特定のイベントを検出すると、前記第１の操作モードから前記第２の操作モードに切替える制御部、
を備えたことを特徴とする携帯端末装置。
【請求項２】
前記制御部は、
前記入力部による操作がしにくい状態を検出した場合に前記特定のイベントとすることを特徴とする請求項１記載の携帯端末装置。
【請求項３】
前記制御部は、
温度が所定の温度より低いまたは高い場合に、前記操作がしにくい状態であると判定することを特徴とする請求項２記載の携帯端末装置。
【請求項４】
前記制御部は、
緊急災害情報を検知すると、前記操作がしにくい状態であると判定することを特徴とする請求項２記載の携帯端末装置。
【請求項５】
前記制御部は、
所定の値より低い受信信号強度を検知すると、前記操作がしにくい状態であると判定することを特徴とする請求項２記載の携帯端末装置。
【請求項６】
前記制御部は、
所定の値より低い照度を検出すると、前記操作がしにくい状態であると判定することを特徴とする請求項２記載の携帯端末装置。
【請求項７】
前記制御部は、
前記入力部による所定回数の連続した誤操作を検出した場合に前記特定のイベントとすることを特徴とする請求項１記載の携帯端末装置。
【請求項８】
前記制御部は、
前記バッテリの所定の残量を検出した場合に前記特定のイベントとすることを特徴とする請求項１記載の携帯端末装置。
【請求項９】
前記制御部は、
ユーザ設定による操作モードの切替えを検出した場合に前記特定のイベントと判定することを特徴とする請求項１記載の携帯端末装置。
【請求項１０】
前記制御部は、
前記第２の操作モードに切替わった後、表示部のデスクトップ上でタッチ操作を検出すると、タッチした指の本数によって予め定義された処理優先度の高い所定の機能を示すショートカットアイコンを配置することを特徴とする請求項１〜９のいずれか１項記載の携帯端末装置。
【請求項１１】
前記制御部は、
前記デスクトップ上に配置される前記ショートカットアイコンの個数に応じて各ショートカットアイコンの表示サイズを可変にすることを特徴とする請求項１０記載の携帯端末装置。
【請求項１２】
前記制御部は、
前記ショートカットアイコンをハード釦に割り当てる設定がなされていた場合、前記ハード釦の押下を検知すると、前記ショートカットアイコンが示す前記機能を実行することを特徴とする請求項１０または１１記載の携帯端末装置。
【請求項１３】
携帯端末装置における操作モードの切替え方法であって、
前記携帯端末装置は、
特定のイベントを検出するステップと、
前記イベントを検出すると、第１の操作モードから、前記第１の操作モードよりも入力操作が容易な第２の操作モードに切替えるステップと、
を有することを特徴とする携帯端末装置における操作モードの切替え方法。
【請求項１４】
コンピュータによって制御される、携帯端末装置に使用されるプログラムであって、
前記コンピュータに、
特定のイベントを検出する処理と、
前記イベントを検出すると、第１の操作モードから、前記第１の操作モードよりも入力操作が容易な第２の操作モードに切り換える処理と、
を実行させるプログラム。
【発明の詳細な説明】
【技術分野】
【０００１】
本発明は、端末が操作しにくい状態、誤操作が続く状態、あるいは少ないバッテリ残量等、特定のイベントが検出されたときに、簡易な操作モードに変更する、携帯端末装置、および同装置における操作モードの切替え方法、ならびにプログラムに関する。
【背景技術】
【０００２】
携帯電話を低温環境下で長時間使用し、あるいは長時間携帯すると、内部回路が低温による影響で、動作不良、あるいは動作不能な状態に陥ることがある。このため、例えば、特許文献１には、低温環境下においても内部回路が動作不良や動作不能に陥ることを防止すると共に、電池残量の急激な低下を防止することができる携帯端末装置が紹介されている。
【先行技術文献】
【特許文献】
【０００３】
【特許文献１】特開２００１−２９８４０２号公報
【発明の概要】
【発明が解決しようとする課題】
【０００４】
特許文献１によれば、低温状態になると電源のＯＮ／ＯＦＦを制御して携帯端末装置の使用を制限する。このため、例えば、端末が操作しにくい状態になった場合、誤操作の発生が頻発した場合、バッテリ容量が急激に減少した場合等、いずれの状態が発生しても一様に携帯端末装置の使用が制限される。このように、ユーザは状況に応じた端末操作がしたくても電源がＯＦＦされるため、携帯端末装置自体を使用することができなくなるといった問題があった。
【０００５】
本発明は上記した課題を解決するためになされたものであり、状況に応じた操作が可能なユーザインタフェースを提供することにより、使用を制限することなく継続使用が可能な、携帯端末装置、および同装置における操作モードの切替え方法、ならびにプログラムを提供することを目的とする。
【課題を解決するための手段】
【０００６】
上記した課題を解決するために本発明の携帯端末装置は、少なくとも入力部を備えたバッテリ駆動の携帯端末装置であって、前記入力部による第１の操作モードと、前記第１の操作モードよりも入力操作が容易な第２の操作モードとを有し、特定のイベントを検出すると、前記第１の操作モードから前記第２の操作モードに切替える制御部、を備えたことを特徴とする。
【０００７】
本発明の携帯端末装置において、前記制御部は、前記入力部による操作がししにくい状態を検出した場合に前記特定のイベントとしてもよい。
【０００８】
本発明の携帯端末装置において、前記制御部は、温度が所定の温度より低いまたは高い場合に、前記操作がしにくい状態であると判定してもよい。
【０００９】
本発明の携帯端末装置において、前記制御部は、緊急災害情報を検知すると、前記操作がしにくい状態であると判定してもよい。
【００１０】
本発明の携帯端末装置において、前記制御部は、所定の値より低い受信信号強度を検知
すると、前記操作がしにくい状態であると判定してもよい。
【００１１】
本発明の携帯端末装置において、前記制御部は、所定の値より低い照度を検出すると、前記操作がしにくい状態であると判定してもよい。
【００１２】
本発明の携帯端末装置において、前記制御部は、前記入力部による所定回数の連続した誤操作を検出した場合に前記特定のイベントとしてもよい。
【００１３】
本発明の携帯端末装置において、前記制御部は、前記バッテリの所定の残量を検出した場合に前記特定のイベントとしてもよい。
【００１４】
本発明の携帯端末装置において、前記制御部は、ユーザ設定による操作モードの切り換えを検出した場合に前記特定のイベントと判定してもよい。
【００１５】
本発明の携帯端末装置において、前記制御部は、前記第２の操作モードに切替わった後、前記表示部のデスクトップ上でタッチ操作を検出すると、タッチした指の本数によって予め定義された処理優先度の高い所定の機能を示すショートカットアイコンを配置してもよい。
【００１６】
本発明の携帯端末装置において、前記制御部は、前記デスクトップ上に配置されたショートカットアイコンの個数に応じて前記ショートカットアイコンの表示サイズを可変にしてもよい。
【００１７】
本発明の携帯端末装置において、前記制御部は、前記ショートカットアイコンをハード釦に割り当てる設定がなされていた場合、前記ハード釦の押下を検知すると、前記ショートカットアイコンが示す前記機能を実行してもよい。
【００１８】
本発明の携帯端末装置における操作モードの切替え方法は、前記携帯端末装置が、特定のイベントを検出するステップと、前記イベントを検出すると、第１の操作モードから、前記第１の操作モードよりも入力操作が容易な第２の操作モードに切替えるステップと、を有することを特徴とする。
【００１９】
本発明のプログラムは、コンピュータによって制御される、携帯端末装置に使用されるプログラムであって、前記コンピュータに、特定のイベントを検出する処理と、前記イベントを検出すると、第１の操作モードから、前記第１の操作モードよりも入力操作が容易な第２の操作モードに切り換える処理と、を実行させることを特徴とする。
【発明の効果】
【００２０】
本発明によれば、状況に応じた操作が可能なユーザインタフェースを提供することにより、使用を制限することなく継続使用が可能な、携帯端末装置、および同装置における操作モードの切替え方法、ならびにプログラムを提供することができる。
【図面の簡単な説明】
【００２１】
【図１】本発明の実施の形態に係る携帯端末装置の外観構成図である。
【図２】本発明の実施の形態に係る携帯端末装置の構成を示すブロック図である。
【図３】本発明の実施の形態に係る携帯端末装置の動作を示すフローチャートである。
【図４】本発明の実施の形態に係る携帯端末装置のデスクトップ画面の構成例を示す図である。
【発明を実施するための形態】
【００２２】
以下、添付図面を参照して本発明を実施するための実施の形態（以下、単に本実施形態という）について詳細に説明する。
【００２３】
（実施形態の構成）
図１（ａ）は、本実施形態に係る携帯端末装置１の外観正面図、（ｂ）は側面図である。図２は、携帯端末装置１の構成を示すブロック図である。本実施形態に係る携帯端末装置１の構成を図１及び図２の双方を使用して説明する。
【００２４】
携帯端末装置１は、薄型の長方形状のキャビネット１０を有する。キャビネット１０の正面側には、タッチパネルＴＰが配置され、このタッチパネルＴＰは、表示部と入力部が一体的に形成されており、表示部としてのディスプレイ１１と、入力部としてのタッチセンサ１２とを備える。
【００２５】
ディスプレイ１１は、液晶パネル１１ａと、液晶パネル１１ａを照明するバックライト１１ｂにより構成されている。液晶パネル１１ａは、画像を表示するための表示面１１ｃを表に有し、表示面１１ｃが外部に現れる。表示面１１ｃには、多数のアプリケーションのショートカットアイコンが並べられたホーム画面や、これらアプリケーションに基づく実行画面が表示される。なお、液晶パネル１１ａに代えて、有機ＥＬ（Organic  Electro-Luminescense）など他の表示素子を用いてもよい。
【００２６】
タッチセンサ１２は、表示面１１ｃの上に透明なシート状に形成されており、タッチセンサ１２を透して表示面１１ｃを見ることができる。また、タッチセンサ１２は、ユーザがタッチした表示面１１ｃ上の位置（以下、「入力位置」と言う。）を検出し、その入力位置に応じた位置信号を後述するＣＰＵ１００へ出力する。なお、表示面１１ｃにタッチするとは、実際には、タッチセンサ１２を覆うカバーの表面における表示面１１ｃに相当する領域を触れることである。
【００２７】
タッチセンサ１２は、例えば、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗膜式、光検出式等のタッチセンサであってもよい。
【００２８】
ユーザは、自身の指、又はペンなどの接触部材（簡単のため、以下、単に「指」と言う）によって表示面１１ｃを触れ、ドラッグや後述するピンチイン操作によるオブジェクトの移動や、タップ操作による選択実行等、各種操作を行うことができる。なお、ここで使用されるタッチセンサ１２はマルチタッチに対応しており、例えば、２本指によって表示面１１ｃ上のオブジェクトに指を載せ、開くことでズームし、閉じることでズームアウトする、「ピンチズーム」、「ピンチイン」の操作も可能である。
【００２９】
なお、タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、ホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００３０】
キャビネット１０の正面側には、縦方向の下部にマイクロホン（マイクと言う）１４が
配されており、上部にスピーカ１５が配置されている。ユーザは、スピーカ１５からの音声を耳で捉え、マイク１４に対して音声を発することにより通話を行うことができる。キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００３１】
なお、携帯端末装置１は、バッテリ（リチウムイオン電池）によって駆動され、このバッテリはキャビネット１０の裏側に実装されている（図示省略）。
【００３２】
更に、携帯端末装置１は、図２に示すように、上述した各構成要素の他、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、表示制御部１２０を備えている。
【００３３】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、ディスプレイ１１へ出力する。また、画像処理部１０２は、ディスプレイ１１を制御するための制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００３４】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００３５】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００３６】
メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。なお、後述する本発明のプログラムも上記した制御プログラムまたはアプリケーションの一つとしてメモリ１０１の所定の領域に割当てられ記憶されている。
【００３７】
ＣＰＵ１００は、制御プログラムに従って、カメラモジュール１６、マイク１４、通信モジュール１０７、ディスプレイ１１、タッチセンサ１２、スピーカ１５等、各構成要素を制御することにより、通話、カメラ、電子メール、Ｗｅｂブラウザ、地図、音楽プレーヤ等、各種のアプリケーションを実行する。
【００３８】
ＣＰＵ１００は、タッチセンサ１２による第１の操作モードと、第１の操作モードよりも入力操作が容易な第２の操作モードとを有し、特定のイベントを検出すると、第１の操作モードから第２の操作モードに切替える、制御部としての機能を実行する。ここで、「
第１の操作モード」とは、使用可能なアプリケーションのショートカットアイコンがディスプレイ１１の表示面１１ｃ（デスクトップ）上に適当数配置され、その選択操作を促す通常のユーザインタフェースをいい、「第２の操作モード」とは、入力操作を容易にするために使用可能なアプリケーションの数を制限し、例えば、デスクトップ上に配置される少ないショートカットアイコンを比較的大きな形状で表示し、その選択操作を促すユーザインタフェースをいう。
【００３９】
また、「特定のイベント」とは、入力操作がしにくい状態、誤操作が連続する場合、バッテリ残量が急激に減少した場合、ユーザによる操作モードの切替え設定がある場合等をいう。なお、「操作がしくにい状態」とは、温度が所定の温度より低いか、または高い場合、緊急災害情報を検知した場合、所定の値より低い受信信号強度（ＲＳＳＩ：Received
Signal  Strength  Indication）を検知した場合、所定の値より低い照度を検出した場合等、タッチセンサ１２の操作環境が悪い状態にあることをいう。ＣＰＵ１００は、上記した操作がしにくい状態を検出した場合、タッチセンサ１２による所定回数の連続した誤操作を検出した場合、バッテリの所定の残量を検出した場合、あるいは操作モードの切替えを検出した場合に、特定のイベントが発生したと判定して操作モードを第１の操作モードから第２の操作モードに切替える。
【００４０】
ＣＰＵ１００は、第２の操作モードに切替った後、ディスプレイ１１のデスクトップ上でタッチ操作を検出すると、デスクトップ上にタッチした指の本数によって予め定義される処理優先度の高い所定の機能を示すショートカットアイコンを配置する。このとき、デスクトップ上に配置されるショートカットアイコンの個数に応じて各ショートカットアイコンの表示サイズを可変にしてもよい。
【００４１】
なお、第２の操作モードでは、ショートカットアイコンを、タッチパネルＴＰの縦方向の下方に配置された、タッチキー１３ａ，１３ｂ，１３ｃから成るキー操作部１３（ハード釦）のいずれかに割当てても良い。ＣＰＵ１００は、ショートカットアイコンをハード釦に割り当てる設定がなされていた場合、ハード釦の押下を検知すると、ショートカットアイコンが示す機能を実行する。
【００４２】
加速度センサ１０８は、携帯端末装置１本体の傾き時の加速度を検出（又は検出ともいう）する。加速度センサ１０８は３軸加速度センサであり、図１に示すＸ軸方向、Ｙ軸方向及びＺ軸方向の３方向に生じる加速度を検出する。例えば、携帯端末装置１が、地面に対して縦方向から横方向、又は横方向から縦方向に傾けられた際に、その傾き角度に応じた加速度が検出される。更に、加速度センサ１０８は、検出した加速度に応じた加速度信号をＣＰＵ１００へ出力する。携帯端末装置１が静止状態にあるときには、携帯端末装置１に加わる重力加速度が加速度センサ１０８により検出される。加速度センサ１０８は、例えば、画面が常に正しい向きに表示されるようにしている。
【００４３】
（実施形態の動作）
以下、本実施形態に係る携帯端末装置１の動作につき、図３のフローチャートを使用して詳細に説明する。
【００４４】
ＣＰＵ１００は、バックグランド処理で、常時、特定のイベントの発生を監視している（ステップＳ１０１）。特定のイベントとは、入力操作がしにくい状態が発生した場合、誤操作が連続する場合、バッテリ残量が急激に減少した場合、ユーザによる操作モードの切替え設定がある場合である。入力操作がしにくい状態の検出は、ＣＰＵ１００が、例えば、不図示の温度センサによって、あるいは外部のサーバから取得される天気情報から温度が０℃以下であることを検出することにより行なわれる（ステップＳ１０２）。
【００４５】
また、ＣＰＵ１００は、通信モジュール１０７を介して不図示の基地局から送信される緊急災害情報を受信した場合、測定したＲＳＳＩが閾値より低い場合、不図示の照度センサにより閾値より低い照度を検出した場合も、操作がしにくい状態として特定のイベントが発生したものとして検出する。また、ＣＰＵ１００は、上記の操作がしにくい状態が発生した場合の他に、タッチセンサ１２による所定回数の連続した誤操作を検出した場合、バッテリの残量が閾値より低下した場合、あるいはメモリ１０１の所定の領域に格納される操作モード情報が「第２の操作モード」に設定されていることを検出した場合にも同様に、特定のイベントが発生したものとして検出する。
【００４６】
ＣＰＵ１００は、特定のイベントの発生を検出してタッチセンサ１２による操作環境が悪いと判断すると（ステップＳ１０２“Ｙｅｓ”）、操作モードを第１の操作モードから、第１の操作モードよりも操作が容易な第２の操作モードに切替える（ステップＳ１０３）。続いて、ＣＰＵ１００は、ディスプレイ１１のデスクトップ上でのユーザによるタッチ操作を監視する（ステップＳ１０４）。ＣＰＵ１００は、ユーザによるタッチ操作を検出すると、タッチしたユーザの指の本数によって予め定義される処理優先度の高い所定の機能を示すショートカットアイコンをデスクトップ上に配置するように画像処理部１０２を制御する。
【００４７】
これを受けて画像処理部１０２は、ＣＰＵ１００からの指示に基づきディスプレイ１１に表示されるデスクトップ画像データを生成し、その画像データをＶＲＡＭ（Video RAM
）１０２ａに書き込む。続いて、表示制御部１２０は、そのＶＲＡＭ１０２ａに記憶された画像データを含む画像信号をディスプレイ１１の表示タイミングに同期して読み出し、ディスプレイ１１（液晶パネル１１ａ）へ出力してそのショートカットアイコンを含むデスクトップ画像を表示する。
【００４８】
すなわち、ＣＰＵ１００は、１本指でのタッチ操作が検出されると（ステップＳ１０３“１本指”）、最高優先度（優先度）が設定されたアプリケーションのショートカットアイコンのみをデスクトップ上に配置し、このとき、第１の操作モードでデスクトップ上に配置される他のショートカットアイコンは表示しない（ステップＳ１０５）。また、２本指でのタッチ操作が検出されると（ステップＳ１０４“２本指”）、優先度１のアプリケーションのショートカットアイコンと、優先度１のアプリケーションに続いて高い優先度（優先度２）が設定されるアプリケーションのショートカットアイコンとを配置する（ステップＳ１０６）。また、３本指でのタッチ操作が検出されると（ステップＳ１０４“３本指”）、優先度１と優先度２のアプリケーションのショートカットアイコンと、更に続いて高い優先度（優先度３）が設定されるアプリケーションのショートカットアイコンとを配置する（ステップＳ１０７）。このとき、ＣＰＵ１００は、ディスプレイ１１のデスクトップ上に配置されるショートカットアイコンの個数に応じて各ショートカットアイコンの表示サイズを可変にしてもよい。
【００４９】
続いてＣＰＵ１００は、ディスプレイ１１のデスクトップ上に配置され表示されたショートカットアイコンの選択操作を検出すると（ステップＳ１０８“Ｙｅｓ”）、そのショートカットアイコンに応じて定義されたアプリケーションを起動してそのアプリケーションが持つ機能を実行することができる（ステップＳ１０９）。例えば、低温等の特定のイベント検出時、デスクトップ上には優先度１が設定された通話釦のショートカットアイコンが比較的大きな形状で電話番号と共に表示され、ユーザは、この通話釦をタップすることで受話が可能である。
【００５０】
図４（ａ）（ｂ）に、優先度１のアプリケーションとして設定される、「通話」のショートカットアイコン（通話オブジェクト）が例示されている。図４（ａ）は通常（第１の操作モード）のデスクトップ画面であり、図４（ｂ）は低温等の特定のイベント検出時（
第２の操作モード）のデスクトップ画面である。図４（ａ）に示すように、通常は、着信時に、画面中央に円形の画像で表現される通話オブジェクトを左の着信拒否画像上にスライド操作させることにより通話拒否、右の着信応答画像上にスライド操作させることにより着信応答が選択され受話が可能である。これに対し、例えば、低温を検知している状態で通話が発生すると、図４（ｂ）に示すように、表示が制限され、デスクトップ画面上には、着信応答（Ａｃｃｅｐｔ）と着信拒否（Ｉｇｎｏｒｅ）の通話オブジェクトが釦アイコンによって大きな画像で配置され、他に電話番号しか表示されない。この釦アイコンの押下操作（タップ）のみで受話が可能になっている。したがって、低温等の操作環境下にあって操作がしにくい状態にある場合にも操作が容易になる。
【００５１】
なお、ステータスバーにメール受信のアイコンが表示された場合、メールのアプリケーションを自動的に起動し、受信メールの内容を読み上げる等の対応も考えられる。このとき、更に自動的に起動される音声認識のアプリケーションによりメールを作成して定型文で返信することかできる。
【００５２】
なお、上記した本実施形態によれば、第１の操作モード、第２の操作モード共に、ショートカットアイコンをディスプレイ１１のデスクトップ上に配置し、ユーザによる選択入力を促す構成としたが、第２の操作モードに限っては、ショートカッアイコンを、タッチパネルＴＰの縦方向の下方に配置された、タッチキー１３ａ，１３ｂ，１３ｃから成るキー操作部１３（ハード釦）のいずれかに割当てても良い。ＣＰＵ１００は、ショートカットアイコンをハード釦に割り当てる設定がなされていた場合、ハード釦の押下を検知すると、ショートカットアイコンが示す機能を実行する。
【００５３】
（実施形態の効果）
本実施形態に係る携帯端末装置１によれば、特定のイベントを検出すると、第１の操作モードから第１の操作モードより操作が容易な第２の操作モードに自動的に切替えることで、状況に応じた操作が可能なユーザインタフェースを提供することができる。具体的に、低温や高温状態、緊急災害情報受信時、低受信信号強度、低照度等の操作環境下にあって操作がしにくい状態にある場合、所定回数の連続した誤操作がある場合、バッテリ残量が少ない等、悪い操作環境下にあっても携帯端末装置の使用を制限することなく継続的使用を可能にする。
【００５４】
また、本実施形態に係る携帯端末装置１によれば、第２の操作モードに切替わった後、デスクトップ上でタッチした指の本数によって予め定義された処理優先度の高い所定の機能を示すショートカットアイコンを配置することで、悪い操作環境下での操作性の向上がはかれ、確実な操作が可能になる。このとき、デスクトップ上に配置されるショートカットアイコンの個数に応じて各ショートカットアイコンの表示サイズを可変にすることで一層の操作性向上がはかれる。
【００５５】
なお、本実施形態に係る携帯端末装置における操作モードの切替え方法は、例えば、図１（ａ）（ｂ）、図２に示す構成を有する携帯端末装置１に使用される。そして、例えば、図３に示すように、特定のイベントを検出するステップ（Ｓ１０１、Ｓ１０２）と、前記イベントを検出すると、第１の操作モードから、前記第１の操作モードよりも入力操作が容易な第２の操作モードに切替えるステップ（Ｓ１０３〜Ｓ１０７）と、を有する。
【００５６】
本実施形態に係る携帯端末装置における操作モードの切替え方法によれば、特定のイベントを検出すると、第１の操作モードから第１の操作モードより操作が容易な第２の操作モードに自動的に切替えることで、状況に応じた操作が可能なユーザインタフェースを提供することができる。具体的に、低温や高温状態、緊急災害情報受信時、低受信信号強度、低照度等の操作環境下にあって操作がしにくい状態にある場合、所定回数の連続した誤
操作がある場合、バッテリ残量が少ない等、悪い操作環境下にあっても携帯端末装置の使用を制限することなく継続的使用を可能にする、携帯端末装置における操作モードの切替え方法を提供することができる。
【００５７】
また、本実施形態に係るプログラムは、例えば、図２に示すように、コンピュータ（ＣＰＵ１００）によって制御される、携帯端末装置１に使用される。そして、例えば、図３に示すように、コンピュータ（ＣＰＵ１００）に、特定のイベントを検出する処理（Ｓ１０１，Ｓ１０２）と、前記イベントを検出すると、第１の操作モードから、前記第１の操作モードよりも入力操作が容易な第２の操作モードに切り換える処理（Ｓ１０３〜Ｓ１０７）と、を実行させる。
【００５８】
本実施形態に係るプログラムによれば、特定のイベントを検出すると、第１の操作モードから第１の操作モードより操作が容易な第２の操作モードに自動的に切替えることで、状況に応じた操作が可能なユーザインタフェースを提供することができる。具体的に、低温や高温状態、緊急災害情報受信時、低受信信号強度、低照度等の操作環境下にあって操作がしにくい状態にある場合、所定回数の連続した誤操作がある場合、バッテリ残量が少ない等、悪い操作環境下にあっても携帯端末装置の使用を制限することなく継続的使用を可能にする、プログラムを提供することができる。
【００５９】
なお、本実施形態に係る携帯端末装置１によれば、スマートフォンを例示したが、タブレット端末、タッチパッド等、タッチパネルを入出力装置として有するＰＣ（Personal Computer）全般への適用が可能である。
【００６０】
以上、本発明の好ましい実施形態について詳述したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００６１】
１…携帯端末装置、ＴＰ…タッチパネル、１１…ディスプレイ（表示部）、１２…タッチセンサ（入力部）、１００…ＣＰＵ（制御部）、１０１…メモリ、１０２…画像処理部、１２０…表示制御部。
【図１】
2014045451.tif 000003
【図２】
2014045451.tif 000004
【図３】
2014045451.tif 000005
【図４】
2014045451.tif 000006